(57)【特許請求の範囲】
【請求項１】
表面にキー入力部を備える第１筐体と、
該第１筐体の表面上で時計方向又は反時計方向へ横回転可能に連結され、前記第１筐体に対するディスプレイの向きを縦向きと横向きとに変えられる第２筐体と、
を含んで構成され、
前記第２筐体において、少なくとも前記縦向きのときのディスプレイの上方と側方とに、それぞれサウンド放出口が形成されており、
前記縦向きのときのディスプレイの上方に形成されたサウンド放出口に対応する前記スピーカは、前記第２筐体における当該サウンド放出口の背後に設置され、
前記縦向きのときのディスプレイの側方に形成されたサウンド放出口に対応する前記スピーカは、前記第２筐体における前記ディスプレイの出隅部分に設置され、
前記第２筐体において、前記ディスプレイの出隅部分に設置されたスピーカから出力されるサウンドを前記対応するサウンド放出口まで導くサウンド通路が形成されており、
該サウンド通路は、前記第２筐体の表側ケースの内側縁部において、前記ディスプレイを支持する支持リブと前記表側ケースの側壁との間の空間を通路として該通路上部を音漏れを防止する密閉材により密閉して閉断面とすることにより、形成される、
ことを特徴とする携帯端末機。
【請求項２】
前記第２筐体において、前記出隅部分に前記スピーカを装着する装着部が形成され、
該装着部内に、音漏れ防止用のダンパ材が設けられていることを特徴とする請求項１記載の携帯端末機。
【請求項３】
前記ダンパ材に、対応する前記サウンド放出口へ連通する出力通路が設けられていることを特徴とする請求項２記載の携帯端末機。
【請求項４】
前記密閉材は、前記サウンド通路に挿入されるウレタン材質製であることを特徴とする請求項１〜３のいずれか１項に記載の携帯端末機。
【請求項５】
前記各スピーカは、前記第２筐体の回転に応じていずれか１つが動作することを特徴とする請求項１〜４のいずれか１項に記載の携帯端末機。
【請求項６】
前記縦向きのときのディスプレイの上方に形成されたサウンド放出口に対応する前記スピーカが、前記ディスプレイが縦向きのときに動作し、
前記縦向きのときのディスプレイの側方に形成されたサウンド放出口に対応する前記スピーカが、前記ディスプレイが横向きのときに動作することを特徴とする請求項５記載の携帯端末機。
【請求項７】
表面にキー入力部を備える第１筐体と、
該第１筐体の表面上で時計方向又は反時計方向へ横回転可能に連結され、前記第１筐体に対するディスプレイの向きを縦向きと横向きとに変えられる第２筐体と、
を含んで構成され、
前記第２筐体において、少なくとも前記縦向きのときのディスプレイの上方と側方とに、それぞれサウンド放出口が形成されており、
前記第２筐体は、いずれかの前記サウンド放出口の背後に設置されたスピーカを備え、
該第２筐体において、当該スピーカから出力されるサウンドを他の前記サウンド放出口へ導くサウンド通路が形成されており、
該サウンド通路は、前記第２筐体の表側ケースの内側縁部において、前記ディスプレイを支持する支持リブと前記表側ケースの側壁との間の空間を通路として該通路上部を音漏れを防止する密閉材により密閉して閉断面とすることにより、形成される、
ことを特徴とする携帯端末機。
【請求項８】
前記第２筐体は、
前記ディスプレイの縦向きのときに前記第１筐体のキー入力部の少なくとも一部を覆い、
前記ディスプレイの横向きのときに当該一部のキー入力部を露出させることを特徴とする請求項１〜７のいずれか１項に記載の携帯端末機。
【請求項９】
前記第１の筐体と前記第２の筐体との回転軸が、前記第２筐体の中央部位に設けてあることを特徴とする請求項１〜８のいずれか１項に記載の携帯端末機。
【請求項１０】
前記第１の筐体と前記第２の筐体との回転軸が、前記第２筐体の中央部位から左右いずれかにずらして設けてあることを特徴とする請求項１〜８のいずれか１項に記載の携帯端末機。
【請求項１１】
表面にキー入力部を備える第１筐体と、
映像を縦方向又は横方向に表示可能なディスプレイ、該ディスプレイの上方に設置された第１スピーカ、及び前記ディスプレイの側方に設置された第２スピーカを備え、前記第１筐体の表面上で時計方向又は反時計方向へ横回転可能に連結され、前記第１筐体に対する前記ディスプレイの向きを縦向きと横向きとに変えられる第２筐体と、
前記ディスプレイに映像が縦表示されているときと前記ディスプレイに映像が横表示されているときとで、前記第１及び第２スピーカによるサウンド出力を切り換えるように制御するコントローラと、
を含んで構成され、
前記第２筐体において、少なくとも前記縦向きのときのディスプレイの上方と側方とに、それぞれサウンド放出口が形成されており、
前記縦向きのときのディスプレイの上方に形成されたサウンド放出口に対応する前記第１スピーカは、前記第２筐体における当該サウンド放出口の背後に設置され、
前記縦向きのときのディスプレイの側方に形成されたサウンド放出口に対応する前記第２スピーカは、前記第２筐体における前記ディスプレイの出隅部分に設置され、
前記第２筐体において、前記ディスプレイの出隅部分に設置された第２スピーカから出力されるサウンドを前記対応するサウンド放出口まで導くサウンド通路が形成されており、
該サウンド通路は、前記第２筐体の表側ケースの内側縁部において、前記ディスプレイを支持する支持リブと前記表側ケースの側壁との間の空間を通路として該通路上部を音漏れを防止する密閉材により密閉して閉断面とすることにより、形成される、
ことを特徴とする携帯端末機。
【請求項１２】
前記コントローラは、前記ディスプレイに映像が横表示されているとき、前記第１スピーカからメインサウンドを出力し且つ前記第２スピーカからベースサウンドを出力するように制御することを特徴とする請求項１１記載の携帯端末機。
【請求項１３】
前記コントローラは、マルチメディア再生の要求に応じて前記第１及び第２スピーカによりサラウンド再生を行うように制御することを特徴とする請求項１１記載の携帯端末機。
【請求項１４】
前記コントローラは、
前記ディスプレイに映像が縦表示されているときに前記第１スピーカから音声通話のサウンドを出力し、
前記ディスプレイに映像が横表示されているときに前記第２スピーカから音声通話のサウンドを出力するように制御することを特徴とする請求項１１記載の携帯端末機。
【発明の詳細な説明】
【技術分野】
【０００１】
本発明は、一方の筐体が他方の筐体に対し横回転可能に接続された回転型携帯端末機（移動体通信端末機）に関する。
【背景技術】
【０００２】
図１６に、回転型携帯端末機の形態例を平面図で示し、その筐体を回転させた状態の平面図を図１７に示している。図１６及び図１７に示すように、回転型携帯端末機は、情報を入力するためのキーボタン１０６が備えられた第１筐体１０２と、第１筐体１０２に対し横回転可能に連結されたディスプレイ１０８を備える第２筐体１０４と、を含んで構成されている。第１筐体１０２には、サウンドが入力されるマイク１１２が通話時の下端部位に装着され、第２筐体１０４には、サウンドを出力するスピーカ１１０が通話時の上端部位に装着される。
【発明の開示】
【発明が解決しようとする課題】
【０００３】
上記のような回転型携帯端末機は、通話時に上端部位となる第２筐体１０４の長手方向上端に１つのスピーカ１１０が装着されており、第２筐体１０４を横回転させて横向きにすると、スピーカ１１０の位置は必然的に端末機の側方に移動する。このため、第２筐体１０４を横向きにしたときには通話できない設定としてあったり、通話可能であったとしても、スピーカ１１０とマイク１１２の位置関係が通話に不自然な関係となって不便である。横向き時通話不可となっている場合は、通話モードにするために第２筐体１０４を縦向きに戻す操作をしなければならない。
【０００４】
また、上端部位単一のスピーカ１１０しか備えていない回転型携帯端末機は、マルチメディア再生時に、サウンドのサラウンド再生を行えない。
【０００５】
本発明は、このような技術背景に鑑みたもので、横向き時の使用条件改善を目的とするものである。また加えて、回転型携帯端末機におけるサラウンド再生の実現を目的とするものである。
【課題を解決するための手段】
【０００６】
本発明によれば、第２筐体（ディスプレイ側筐体）の側部にサウンド放出口を設けることにより、第２筐体が横向きになった状態でも通話可能とし、あるいは、スピーカ及びマイクを通話しやすい位置関係とし、使用条件を改善したより便利な携帯端末機を提供する。さらには、第２筐体において少なくとも２つのスピーカを利用し、通話時には、第２筐体の回転状態に関係なく通話が円滑に行われるようにし、マルチメディア再生時には、サラウンド再生できるようにする。
【０００７】
このような本発明の携帯端末機は、表面にキー入力部を備える第１筐体と、該第１筐体の表面上で時計方向又は反時計方向へ横回転可能に連結され、前記第１筐体に対するディスプレイの向きを縦向きと横向きとに変えられる第２筐体と、を含んで構成され、前記第２筐体において、少なくとも前記縦向きのときのディスプレイの上方と側方とに、それぞれサウンド放出口が形成されており、前記縦向きのときのディスプレイの上方に形成されたサウンド放出口に対応する前記スピーカは、前記第２筐体における当該サウンド放出口の背後に設置され、前記縦向きのときのディスプレイの側方に形成されたサウンド放出口に対応する前記スピーカは、前記第２筐体における前記ディスプレイの出隅部分に設置され、前記第２筐体において、前記ディスプレイの出隅部分に設置されたスピーカから出力されるサウンドを前記対応するサウンド放出口まで導くサウンド通路が形成されており、該サウンド通路は、前記第２筐体の表側ケースの内側縁部において、前記ディスプレイを支持する支持リブと前記表側ケースの側壁との間の空間を通路として該通路上部を音漏れを防止する密閉材により密閉して閉断面とすることにより、形成される、ことを特徴とする。
【０００８】
あるいは、本発明の携帯端末機は、表面にキー入力部を備える第１筐体と、該第１筐体の表面上で時計方向又は反時計方向へ横回転可能に連結され、前記第１筐体に対するディスプレイの向きを縦向きと横向きとに変えられる第２筐体と、を含んで構成され、前記第２筐体において、少なくとも前記縦向きのときのディスプレイの上方と側方とに、それぞれサウンド放出口が形成されており、前記第２筐体は、いずれかの前記サウンド放出口の背後に設置されたスピーカを備え、該第２筐体において、当該スピーカから出力されるサウンドを他の前記サウンド放出口へ導くサウンド通路が形成されており、該サウンド通路は、前記第２筐体の表側ケースの内側縁部において、前記ディスプレイを支持する支持リブと前記表側ケースの側壁との間の空間を通路として該通路上部を音漏れを防止する密閉材により密閉して閉断面とすることにより、形成される、ことを特徴とする
【０００９】
また、本発明の携帯端末機は、表面にキー入力部を備える第１筐体と、映像を縦方向又は横方向に表示可能なディスプレイ、該ディスプレイの上方に設置された第１スピーカ、及び前記ディスプレイの側方に設置された第２スピーカを備え、前記第１筐体の表面上で時計方向又は反時計方向へ横回転可能に連結され、前記第１筐体に対する前記ディスプレイの向きを縦向きと横向きとに変えられる第２筐体と、前記ディスプレイに映像が縦表示されているときと前記ディスプレイに映像が横表示されているときとで、前記第１及び第２スピーカによるサウンド出力を切り換えるように制御するコントローラと、を含んで構成され、前記第２筐体において、少なくとも前記縦向きのときのディスプレイの上方と側方とに、それぞれサウンド放出口が形成されており、前記縦向きのときのディスプレイの上方に形成されたサウンド放出口に対応する前記第１スピーカは、前記第２筐体における当該サウンド放出口の背後に設置され、前記縦向きのときのディスプレイの側方に形成されたサウンド放出口に対応する前記第２スピーカは、前記第２筐体における前記ディスプレイの出隅部分に設置され、前記第２筐体において、前記ディスプレイの出隅部分に設置された第２スピーカから出力されるサウンドを前記対応するサウンド放出口まで導くサウンド通路が形成されており、該サウンド通路は、前記第２筐体の表側ケースの内側縁部において、前記ディスプレイを支持する支持リブと前記表側ケースの側壁との間の空間を通路として該通路上部を音漏れを防止する密閉材により密閉して閉断面とすることにより、形成される、ことを特徴とする。
【００１０】
また、上記本発明の携帯端末機に係るスピーカ制御方法は、映像を横方向又は縦方向に表示可能なディスプレイと、該ディスプレイの上方に設置された第１スピーカと、前記ディスプレイの側方に設置された第２スピーカと、を含んで構成された携帯端末機におけるスピーカ制御方法であって、前記ディスプレイに映像が横表示されているか縦表示されているかを判断する段階と、前記ディスプレイに映像が縦表示されていると判断したときに、通話要求に応じて前記第１スピーカから通話音を出力する段階と、前記ディスプレイに映像が横表示されていると判断したときに、通話要求に応じて前記第２スピーカから通話音を出力する段階と、を含むことを特徴とする。
【発明の効果】
【００１１】
本発明に係る携帯端末機は、第２筐体において、ディスプレイの上方と側方とにサウンド放出口を設けたことにより、縦向きのときでも横向きのときでも第２筐体の上端に位置するサウンド放出口を存在させられるので、第２筐体の回転に関係なくスピーカとマイクとが自然な位置関係にある状態での通話を実現することができ、便利である。また、これらサウンド放出口及びスピーカにより、サラウンド再生を実施することができるようになる。
【発明を実施するための最良の形態】
【００１２】
以下、本発明による携帯端末機の好ましい実施形態について添付図面を参照して説明する。
【００１３】
図１は本実施形態に係る携帯端末機の斜視図であり、図２は、図１の携帯端末機について、ディスプレイを横向きにした状態で示した斜視図である。
【００１４】
図１及び図２に示すように、当該携帯端末機は、情報を入力するための第１及び第２キー群１２、１４を備える第１筐体１０と、第１筐体１０の表面上で時計方向又は反時計方向へ横回転可能に連結され、ディスプレイ２２を縦向きと横向きとに変えられる第２筐体２０と、を含んで構成されている。
【００１５】
第１筐体１０と第２筐体２０との間は回転モジュール（図示せず）を介して軸支されており、第２筐体２０が第１筐体１０の表面上で時計方向又は反時計方向へ回転するように支持されている。その回転軸が第２筐体２０の中央部位に設けてあれば、第２筐体２０は、図１のように第１筐体１０の第２キー群１４を覆い隠す縦向きと、図２のように時計方向へ回転して（あるいは逆に反時計方向へ回転でもよい）、第１筐体１０の第２キー群１４を露出させる横向きと、に横回転可能である。また、前記回転軸が第２筐体２０の中央部位から左右どちらかにずらしてあれば、従来例として示した図１６及び図１７に示すように、第２筐体は、第１筐体の第２キー群を覆い隠す縦向きと、第１の筐体に対し左方（あういは右方）へずれて時計方向へ（あるいは反時計方向へ）回転し、第１筐体の第２キー群を露出させる横向きと、に横回転可能である。
【００１６】
第１筐体１０は、第２筐体２０の向きに関係なく常に露出するように表面に配置された第１キー群１２と、第２筐体２０が横向きに回転した状態でのみ露出して情報を入力可能となる第２キー群１４と、を含んでいる。さらに、第１筐体１０には、通話時等にサウンドを入力するマイク１６が、通話時の下端部位に設置されている。
【００１７】
第２筐体２０の表面には、縦向きとしたときのディスプレイ２２の上方及び側方（図示では左方）に、それぞれサウンド放出口３２、３４が形成されている。具体的には、第２筐体２０は、縦向き時のディスプレイ２２の上方に位置する第１サウンド放出口３２と、縦向き時にディスプレイ２２の側方に位置し且つ横向き時にはディスプレイ２２の上方に位置する第２サウンド放出口３４と、が形成されている。なお、この他にも、ディスプレイ２２の反対側の側方（図示では右方）に第３サウンド放出口を形成することもできる。
【００１８】
第２筐体２０は、第１実施形態によれば、２つのサウンド放出口３２、３４に対応させてそれぞれ設置した２つのスピーカを含むことができる。
【００１９】
この場合、２つのスピーカは、２つのサウンド放出口３２、３４の背後にそれぞれ設置することができる。すなわち、２つのスピーカのうち、第１スピーカは第１サウンド放出口３２の背後に設置し、第２スピーカは第２サウンド放出口３４の背後に設置することができる。また、ディスプレイ２２の他の側方にも第３サウンド放出口を形成する場合は、その背後にも第３スピーカ（図示せず）を設置することができる。これ以外にも、図３に示すように、前記２つのスピーカのうち、第１スピーカ３６は、ディスプレイ２２の上方に形成された第１サウンド放出口３２の背後に設置し、第２スピーカ３８は、ディスプレイ２２の出隅部分に設置することもできる。この場合の第２筐体２０は、ディスプレイ２２の出隅部分に設置された第２スピーカ３８から出力されたサウンドを、ディスプレイ２２の側方に形成された第２サウンド放出口３４まで導くためのサウンド通路４０を含むことができる。当該形態は、空間的な制約（小型化）を克服するためのものであり、これについて、図３〜図７を参照して説明する。
【００２０】
図３は、第１実施形態による携帯端末機における第２筐体の表側ケースの内側を示す斜視図であり、図４は、そのスピーカ及びサウンド放出口部分を拡大して示す部分斜視図であり、図５は、第２サウンド放出口部分の拡大断面図であり、図６は、サウンド通路密閉材の斜視図であり、図７は、第２スピーカの斜視図である。
【００２１】
図３及び図４に示すように、第２筐体２０は、各サウンド放出口３２、３４に対応させてそれぞれ設置された２つのスピーカ３６、３８を含んでいる。そのうち第１スピーカ３６は、表側ケース２０ａの縦方向上端にある第１サウンド放出口３２の背後に形成された第１装着部４１内に設置することができる。一方の第２スピーカ３８は、第１スピーカ３６とは違う箇所で、ディスプレイ２２の出隅部分に形成された第２装着部４２内に設置することができる。そして、第２筐体２０には、第２スピーカ３８から出力されたサウンドを第２サウンド放出口３４まで導くサウンド通路４０が形成されている。
【００２２】
サウンド通路４０は、表側ケース２０ａの内側においてディスプレイ２２設置部位の長手方向側部に沿って、つまり表側ケース２０ａの内側縁部に形成され、その一端は第２装着部４２に連通し、他端は第２サウンド放出口３４に連通している。このようなサウンド通路４０は、表側ケース２０ａの内側に立設されてディスプレイ２２を支持する支持リブ５０と表側ケース２０ａの側壁５２との間の空間を利用して形成される。当該サウンド通路４０には、図３又は図５に示すように、サウンド漏れを防止するための密閉材５４が装着される。密閉材５４は、図５及び図６に示すように、サウンド通路４０の形状に相応する形状としたウレタン材質製とされ、その側面が外壁５２と支持リブ５０とに密着して、サウンド通路４０の上部を密閉する。
【００２３】
また、第２装着部４２には、図７に示すように、第２スピーカ３８から出力されたサウンドの音漏れ防止用であると共に、第２スピーカ３８を衝撃から保護するダンパ材４４が嵌合されている。ダンパ材４４は、ウレタン材質で形成され、好ましくはサウンド通路４０を通し第２サウンド放出口３４へ連通する出力通路４６が設けられる。
【００２４】
図８は、上記第１実施形態による第１サウンド放出口３２から放出される音量と、第２サウンド放出口３４から放出される音量とを比較したグラフである。第１スピーカ３６から出力されたサウンドが第１サウンド放出口３２から放出される音量を示すグラフＰと、第２スピーカ３８から出力されたサウンドがサウンド通路４０を通過して第２サウンド放出口３４から放出される音量を示すグラフＱと、を比較すると、第２サウンド放出口３４から放出される音量は、第１サウンド放出口３２から放出される音量の約８０％という性能を発揮する。すなわち、サウンド通路４０による損失は比較的小さいため、第２サウンド放出口３４から放出されるサウンドは、通信モードに十分である。
【００２５】
以上、第１実施形態による携帯端末機は、第２筐体２０が横向きの場合でも通話に支障がないように少なくとも２つのスピーカを含み、空間的制約を克服するために、第１スピーカをディスプレイの上方に配置すると共に第２スピーカをディスプレイの出隅部分に配置した携帯端末機である。
【００２６】
次に、本発明の第２実施形態による携帯端末機について説明する。
【００２７】
第２実施形態の第２筐体２０は、第１サウンド放出口３２の背後に設置されてサウンドを出力するスピーカ３９と、該スピーカ３９から出力されるサウンドを第２サウンド放出口３４へ導くサウンド通路４７と、を含む構成である。これについて図９〜図１２に示している。
【００２８】
図９は、第２実施形態による携帯端末機における第２筐体の表側ケースの一部内側を拡大して示す部分斜視図であり、図１０は、その表側ケースの内側を示す平面図であり、図１１は、図１０のＡ−Ａ断面線で示す、表側ケース及び裏側ケースを組み付けた第２筐体の断面図であり、図１２は、図１０のＢ−Ｂ断面線で示す、表側ケース及び裏側ケースを組み付けた第２筐体の断面図である。
【００２９】
図９〜図１２に示すように、製造コスト低減のために１つのスピーカ３９を使用する第２実施形態では、第１及び第２サウンド放出口３２、３４の両方を通してサウンドを放出できるように、スピーカ３９から出力されるサウンドを導くサウンド通路４７を含む。具体的には、第２筐体２０は、第１サウンド放出口３２の背後に設置されたスピーカ３９と、スピーカ３９から出力されるサウンドを第２サウンド放出口３４まで導くサウンド通路４７と、を含んで構成される。
【００３０】
第２筐体２０を構成する表側ケース２０ａの内面に所定の高さの円筒状壁からなる装着部４３が突設されており、該装着部４３内に、スピーカ３９が装着される。この装着部４３には、サウンド通路４７に連通する切欠部が形成されている。そのサウンド通路４７は、ディスプレイ２２を設置する部位の縁に沿って屈曲して形成されている。このようなサウンド通路４７は、表側ケース２０ａの側壁５５ａと、第２筐体２０の内面に立設されてディスプレイ２２を支持する支持リブ５６ａとの間の空間を利用して形成される。
【００３１】
また、本実施形態のサウンド通路４７は、スピーカ３９から第２サウンド放出口３４までの長さを有する曲折溝状に形成され、その断面積は一定ではない。たとえば、サウンド通路４７の断面積は、スピーカ３９近辺よりも第２サウンド放出口３４部位の方で小さくなるように形成される。これは空間上の制約を克服するためである。
【００３２】
サウンド通路４７は、上述のように密閉材で形成する他に、第２筐体２０を構成する表側ケース２０ａの内側へ突出した側壁５５ａ及び支持リブ５６ａと、第２筐体２０を構成する裏側ケース２０ｂの内側へ突出した側壁５５ｂ及び支持リブ５６ｂと、の端面接合により構成することができる。ただしこの場合も、両者接合部分に、音漏れを防止するシール部材（図示せず）を具備することができる。
【００３３】
以上、第２実施形態による携帯端末機は、製造コスト低減のために第１サウンド放出口３２の背後にのみスピーカ３９を設置し、スピーカ３９から出力されるサウンドをサウンド通路４７により第２サウンド放出口３４へ導く形態の携帯端末機である。
【００３４】
図１３は、携帯端末機の回路構成を示すブロック図であり、図１４は、筐体回転時にスピーカを切り換えるスピーカ制御方法のフローチャートであり、図１５は、サラウンド再生を行うスピーカ制御方法のフローチャートである。以下、図１３と共に図１４及び図１５を参照して説明する。
【００３５】
図１及び図２に示す例示的外形を有する図１３の携帯端末機１００は、内部的には、ＲＦ送受信部６０と、キー入力部１２、１４と、マイク１６と、ディスプレイ２２と、一例として２つのスピーカ３６、３８と、コントローラ７０と、を含んで構成される。
【００３６】
ＲＦ送受信部６０は、電波の送受信のための電子部品から構成される。好ましくは、ＣＤＭＡ、ＧＳＭ、ＧＰＲＳ、ＴＤＭＡ、ＩＭＴ−２０００、ＷＣＤＭＡ、ＨＳＤＰＡ、ＩＥＥＥ８０２．１１、ＩＥＥＥ８０２．１６方式（これに限定されるものではない）の通信をサポートするための電子部品を備えた回路構成とすることができる。このようなＲＦ送受信部６０は、コントローラ７０に電気的に接続されており、コントローラ７０により制御されて通信を行うことができる。
【００３７】
キー入力部１２は、コントローラ７０に電気的に接続されており、使用者が操作できるよう図１に示すように常時露出で配置され、キー入力部１４は、同じくコントローラ７０に電気的に接続されており、図２に示すように第２筐体２０が横向きになった場合に露出するよう配置される。マイク１６は、コントローラ７０に電気的に接続されており、使用者のサウンドを拾いやすいように、図１に示すような第１筐体１０における通話時下端部位に配置される。
【００３８】
ディスプレイ２２は、液晶表示装置（Liquid Crystal Display：ＬＣＤ）又は有機発光ダイオード（Organic Light Emitting Diodes：ＯＬＥＤ）から構成することができ、コントローラ７０に電気的に接続されて制御され、携帯端末機１００の様々な機能に応じた映像を表示する。
【００３９】
少なくとも２つのスピーカ３６、３８は、コントローラ７０に電気的に接続されて制御され、携帯端末機１００の様々な機能に応じて発生するサウンドを出力する。前述したように、スピーカ３６、３８のうち、第１スピーカ３６はディスプレイ２２の上方に形成された第１サウンド放出口３２の背後に設置され、第２スピーカ３８はディスプレイ２２の側方に形成された第２サウンド放出口３４の背後に設置される。なお、前述したように、ディスプレイ２２の反対側の側方にも第３サウンド放出口を形成し、その背後に第３スピーカを装着することもできる。
【００４０】
コントローラ７０は、複数の半導体素子から構成され、ＲＦ送受信部６０、キー入力部１２、１４、マイク１６、ディスプレイ２２、第１及び第２スピーカ３６、３８を制御する。
【００４１】
図１４のフローの場合、コントローラ７０は、自機の発呼又は着呼による通話要求時（Ｓ１０１）、ディスプレイ２２において、映像が縦方向（縦長）に表示されているか、あるいは、横方向（横長）に表示されているか、を判断する（Ｓ１０２）。そして、ディスプレイ２２において映像が縦表示になっていれば、第１スピーカ３６を動作させ（Ｓ１０３）、ディスプレイ２２において映像が横表示になっていれば、第２スピーカ３８を動作させる（Ｓ１０４）。
【００４２】
図１５のフローの場合、コントローラ７０は、マルチメディア再生要求時（Ｓ２０１）、ディスプレイ２２において、映像が縦方向（縦長）に表示されるのか、あるいは、横方向（横長）に表示されるのか、を判断する（Ｓ２０２）。そして、ディスプレイ２２において映像が縦表示されることになっていれば、第１スピーカ３６をウーハースピーカとし且つ第２スピーカ３８をメインスピーカとして動作させ（Ｓ２０３）、ディスプレイ２２において映像が横表示されることになっていれば、第１スピーカ３６をメインスピーカとし且つ第２スピーカ３８をウーハースピーカとして動作させる（Ｓ２０４）。
【００４３】
この場合、前述したように、ディスプレイ２２の両側方に第２スピーカ３８及び第３スピーカ（図示せず）が設置されていれば、コントローラ７０は、これら第２及び第３スピーカを利用してステレオサラウンドで再生することができる。さらに、第１スピーカ３６からベースサウンドを出力することができる。
【００４４】
以上説明したスピーカ制御方法は、ソフトウェア、ハードウェア、又はこれらの組み合わせにより実現することができる。例えば、スピーカ制御方法のプログラムは、記憶媒体（例えば、携帯端末機の内蔵メモリ、フラッシュメモリ、ハードディスクなど）に保存することができ、プロセッサ（例えば、携帯端末機の内部マイクロプロセッサ）により実行できるソフトウェアプログラム内にコード又はコマンドで実現することができる。
【００４５】
以上、本発明の好ましい実施形態を説明したが、本発明の範囲はこのような特定実施形態に限定されるものではなく、本発明は、本発明の思想及び特許請求の範囲に記載された範囲内で多様に修正、変更などすることができる。
【図面の簡単な説明】
【００４６】
【図１】本発明による携帯端末機の一例を示した斜視図。
【図２】図１の携帯端末機について、筐体を回転させた状態を示した斜視図。
【図３】本発明の第１実施形態に係る第２筐体の表側ケースの内部を示した斜視図。
【図４】図３の表側ケースの一部を拡大して示した部分斜視図。
【図５】図３の表側ケースの部分断面図。
【図６】図３の表側ケースに使用される密閉材の斜視図。
【図７】図３の表側ケースに設置される第２スピーカの斜視図。
【図８】本発明の第１実施形態に係る携帯端末機のスピーカ音量を示したグラフ。
【図９】本発明の第２実施形態に係る第２筐体の表側ケースの内部を部分的に示した斜視図。
【図１０】図９の表側ケースの内部を示した平面図。
【図１１】本発明の第２実施形態に係る表側ケース及び裏側ケースを組み付けた第２筐体を、図１０のＡ−Ａ断面線で示した断面図。
【図１２】本発明の第２実施形態に係る表側ケース及び裏側ケースを組み付けた第２筐体を、図１０のＢ−Ｂ断面線で示した断面図。
【図１３】本発明の第１実施形態に係る携帯端末機の回路構成を概略的に示したブロック図。
【図１４】本発明の第１実施形態に係る携帯端末機において筐体回転に伴いスピーカを切り換えて通話を行うスピーカ制御方法を示したフローチャート。
【図１５】本発明の第１実施形態に係る携帯端末機において筐体回転に伴いスピーカを切り換えてサラウンド再生を行うスピーカ制御方法を示したフローチャート。
【図１６】携帯端末機の他の形態例を示す平面図。
【図１７】図１６の携帯端末機について、筐体を回転させた状態を示した平面図。
【符号の説明】
【００４７】
１０  第１筐体
２０  第２筐体
２０ａ  表側ケース
３２  第１サウンド放出口
３４  第２サウンド放出口
３６  第１スピーカ
３８  第２スピーカ
４０  サウンド通路
５４  密閉材
【図１】
0004546987.tif 000002
【図２】
0004546987.tif 000003
【図３】
0004546987.tif 000004
【図４】
0004546987.tif 000005
【図５】
0004546987.tif 000006
【図６】
0004546987.tif 000007
【図７】
0004546987.tif 000008
【図８】
0004546987.tif 000009
【図９】
0004546987.tif 000010
【図１０】
0004546987.tif 000011
【図１１】
0004546987.tif 000012
【図１２】
0004546987.tif 000013
【図１３】
0004546987.tif 000014
【図１４】
0004546987.tif 000015
【図１５】
0004546987.tif 000016
【図１６】
0004546987.tif 000017
【図１７】
0004546987.tif 000018